(57)【要約】【課題】電力供給を自立状態へ円滑に切り替えることができる分電盤を提供する。【解決手段】分電盤５００は、電力を負荷５４０に供給するための電力線５１０と、停電を検知する検知部５０１と、電力系統２０４と電力供給装置５２０から供給される電力の供給点である電力供給点との間の接続状態を切り替えるスイッチ５１１と、停電時に分電盤５００が動作するための電力供給源として機能する蓄電部５０３と、検知部５０１が停電を検知した場合、蓄電部５０３から供給される電力を用いてスイッチ５１１をオフにすることにより、停電時に電力供給装置５２０から負荷５４０に電力を供給するための回路を分電盤５００内に形成する制御部５０２とを備える。【選択図】図９
2014073010.tif 000002
【特許請求の範囲】
【請求項１】
建物に設けられる負荷に電力を供給する分電盤であって、
電力系統から供給される電力、或いは、外部に設けられる電力供給装置から供給される電力を前記負荷に供給するための電力線であって、前記電力供給装置から供給される電力の供給点である電力供給点が前記電力系統および前記負荷の間に設けられる電力線と、
前記電力系統から前記電力線に電力が供給されない状態である停電を検知する検知部と、
前記電力系統と前記電力供給点との間に設けられ、オンにされた場合に前記電力系統と前記電力供給点との間の接続状態を導通に切り替え、オフにされた場合に前記接続状態を非導通に切り替える第１のスイッチと、
前記停電時に前記分電盤が動作するための電力供給源として機能する蓄電部と、
前記検知部が前記停電を検知した場合、前記蓄電部から供給される電力を用いて前記第１のスイッチをオフにして前記接続状態を非導通にすることにより、前記停電時に前記電力供給装置から前記負荷に電力を供給するための回路を前記分電盤内に形成する制御部と、を備える
分電盤。
【請求項２】
前記分電盤は、さらに、オンにされた場合に、前記電力供給装置と前記電力線との間の接続状態を導通に切り替え、オフにされた場合に、前記接続状態を非導通に切り替える第２のスイッチを備え、
前記制御部は、前記検知部が前記停電を検知したときに前記第２のスイッチがオフになっている場合、前記第１のスイッチをオフにしてから前記第２のスイッチをオンにする、
請求項１に記載の分電盤。
【請求項３】
前記検知部は、前記停電を検知する停電センサから前記停電を示す情報を取得して、前記停電を検知する
請求項１または２に記載の分電盤。
【請求項４】
前記検知部は、さらに、ガス漏れセンサおよび漏電センサのうち少なくとも一方から、ガス漏れおよび漏電のうち少なくとも一方を示す情報を取得して、前記建物の緊急状態を検知し、
前記制御部は、さらに、前記検知部が前記緊急状態を検知した場合、前記第２のスイッチをオフにする
請求項２に記載の分電盤。
【請求項５】
前記検知部は、さらに、前記分電盤における異常を検知し、
前記分電盤は、さらに、前記検知部が前記異常を検知した場合、前記異常を通知する通知部を備える
請求項１〜４のいずれか１項に記載の分電盤。
【請求項６】
前記制御部は、さらに、前記電力系統から電力が供給される場合、前記電力系統から供給される電力を用いて、動作する
請求項１〜５のいずれか１項に記載の分電盤。
【請求項７】
前記負荷は、複数の負荷を含み、
前記電力線には、前記複数の負荷が複数のコンセントを介して接続され、
前記分電盤は、さらに、
前記複数の負荷へ供給される電力を計測する負荷電力計測部と、
それぞれが、前記電力線と前記複数のコンセントのうちのいずれかのコンセントとの間に設けられ、オンにされた場合に前記電力線と前記コンセントとの間の接続状態を導通に切り替え、オフにされた場合に前記接続状態を非導通に切り替える複数の第３のスイッチとを備え、
前記制御部は、前記負荷電力計測部で計測された電力が前記電力供給装置の出力可能な電力として予め定められた電力を超える場合、前記複数の第３のスイッチのうちのいずれかの第３のスイッチをオフにする
請求項１〜６のいずれか１項に記載の分電盤。
【請求項８】
前記電力供給装置は、蓄電池を備える蓄電装置を含み、
前記負荷は、複数の負荷を含み、
前記電力線には、前記複数の負荷が複数のコンセントを介して接続され、
前記分電盤は、さらに、
前記複数の負荷へ供給される電力を計測する負荷電力計測部と、
前記蓄電池の残存電力量を計測する残存電力量計測部と、
それぞれが、前記電力線と前記複数のコンセントのうちのいずれかのコンセントとの間に設けられ、オンにされた場合に前記電力線と前記コンセントとの間の接続状態を導通に切り替え、オフにされた場合に前記接続状態を非導通に切り替える複数の第３のスイッチとを備え、
前記制御部は、前記複数の負荷へ供給される電力量が前記蓄電池の残存電力量を一定期間内に超える場合、前記複数の第３のスイッチのうちのいずれかの第３のスイッチをオフにする
請求項１〜６のいずれか１項に記載の分電盤。
【請求項９】
前記制御部は、前記複数のコンセントのそれぞれに対して優先順位を設定し、前記優先順位の低い順に、前記複数のコンセントから対象コンセントを決定し、決定された前記対象コンセントに対応する第３のスイッチをオフにする
請求項７または８に記載の分電盤。
【請求項１０】
前記制御部は、所定の期間ごとに、前記複数のコンセントのそれぞれの前記優先順位を変更する
請求項９に記載の分電盤。
【請求項１１】
前記電力供給装置は、蓄電池を備える蓄電装置、太陽光発電装置、および、燃料電池装置の少なくとも１つを含む
請求項１〜１０のいずれか１項に記載の分電盤。
【請求項１２】
前記電力供給装置は、蓄電池を備える蓄電装置、太陽光発電装置、および、燃料電池装置を含み、
前記第２のスイッチは、
オンにされた場合に前記蓄電装置と前記電力線との間の接続状態を導通に切り替え、オフにされた場合に前記接続状態を非導通に切り替える蓄電スイッチと、
オンにされた場合に前記太陽光発電装置と前記電力線との間の接続状態を導通に切り替え、オフにされた場合に前記接続状態を非導通に切り替える太陽光発電スイッチと、
オンにされた場合に前記燃料電池装置と前記電力線との間の接続状態を導通に切り替え、オフにされた場合に前記接続状態を非導通に切り替える燃料電池スイッチとを含み、
前記制御部は、前記検知部が前記停電を検知した場合、前記蓄電スイッチをオンにしてから、前記太陽光発電スイッチ或いは前記燃料電池スイッチをオンにする
請求項２に記載の分電盤。
【請求項１３】
前記電力供給装置は、蓄電池を備える蓄電装置、太陽光発電装置、および、燃料電池装置を含み、
前記電力線には、（ｉ）前記蓄電装置、前記太陽光発電装置および前記燃料電池装置から供給される電力を調整する電力調整装置が、前記第２のスイッチを介して接続され、（ｉｉ）前記蓄電装置、前記太陽光発電装置および前記燃料電池装置が、前記電力調整装置および前記第２のスイッチを介して接続される
請求項２に記載の分電盤。
【請求項１４】
前記制御部は、前記第１のスイッチがオンにされた場合、前記電力系統から供給される電力を前記蓄電部に充電させる
請求項１〜１３のいずれか１項に記載の分電盤。
【請求項１５】
前記分電盤は、さらに、ユーザから指示を受付ける第４のスイッチを備え、
前記検知部は、さらに、前記第４のスイッチによって受付けられた前記指示を検知し、
前記制御部は、前記検知部が前記停電を検知した場合、かつ、前記検知部が前記指示を検知した場合、前記第２のスイッチをオンにすることにより、前記電力供給装置から供給される電力を前記負荷に供給する
請求項２に記載の分電盤。
【請求項１６】
前記分電盤は、さらに、前記停電時に、前記第４のスイッチを照らす照明部を備える
請求項１５に記載の分電盤。
【請求項１７】
前記検知部は、前記分電盤の外部に設けられるセンサであり前記電力供給装置に付随するセンサである前記停電センサから前記停電を示す情報を取得して、前記停電を検知する
請求項３に記載の分電盤。
【請求項１８】
建物に設けられる負荷に電力を供給する分電盤で行われる電力制御方法であって、
前記分電盤の外部に設けられる電力供給装置から供給される電力を前記負荷に供給するための電力線であって、前記電力供給装置から供給される電力の供給点である電力供給点が電力系統および前記負荷の間に設けられる電力線に、前記電力系統から電力が供給されない状態である停電を検知する検知ステップと、
前記停電時に、前記分電盤に含まれる蓄電部から、前記分電盤の動作に用いられる電力を供給する供給ステップと、
前記電力系統と前記電力供給点との間に設けられるスイッチであり、オンにされた場合に、前記電力系統と前記電力供給点との間の接続状態を導通に切り替え、オフにされた場合に、前記接続状態を非導通に切り替えるスイッチである第１のスイッチを制御する制御ステップとを含み、
前記制御ステップでは、前記検知ステップで前記停電が検知された場合、前記蓄電部から供給される電力を用いて前記第１のスイッチをオフにして前記接続状態を非導通にすることにより、前記停電時に前記電力供給装置から前記負荷に電力を供給するための回路を前記分電盤内に形成する
電力制御方法。
【発明の詳細な説明】
【技術分野】
【０００１】
本発明は、建物に設けられる負荷に電力を供給する分電盤、および、分電盤で行われる電力制御方法に関する。
【背景技術】
【０００２】
特許文献１には、停電時において、燃料電池システムを自立運転させる自立運転支援装置が示されている。
【先行技術文献】
【特許文献】
【０００３】
【特許文献１】特開２００８−２２６５０号公報
【発明の概要】
【発明が解決しようとする課題】
【０００４】
しかしながら、電力系統の電力を用いない自立状態への切り替えには、様々な装置の設置、および、それらの適切な制御が求められる。そのため、自立状態への円滑な切り替えは困難である。
【０００５】
そこで、本発明は、電力の利用状態を自立状態へ円滑に切り替えることができる分電盤を提供する。
【課題を解決するための手段】
【０００６】
本発明の一態様に係る分電盤は、建物に設けられる負荷に電力を供給する分電盤であって、電力系統から供給される電力、或いは、外部に設けられる電力供給装置から供給される電力を前記負荷に供給するための電力線であって、前記電力供給装置から供給される電力の供給点である電力供給点が前記電力系統および前記負荷の間に設けられる電力線と、前記電力系統から前記電力線に電力が供給されない状態である停電を検知する検知部と、前記電力系統と前記電力供給点との間に設けられ、オンにされた場合に前記電力系統と前記電力供給点との間の接続状態を導通に切り替え、オフにされた場合に前記接続状態を非導通に切り替える第１のスイッチと、前記停電時に前記分電盤が動作するための電力供給源として機能する蓄電部と、前記検知部が前記停電を検知した場合、前記蓄電部から供給される電力を用いて前記第１のスイッチをオフにして前記接続状態を非導通にすることにより、前記停電時に前記電力供給装置から前記負荷に電力を供給するための回路を前記分電盤内に形成する制御部とを備える。
【０００７】
なお、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００８】
本発明の分電盤は、電力の利用状態を自立状態へ円滑に切り替えることができる。
【図面の簡単な説明】
【０００９】
【図１】図１は、想定技術に係る電力供給システムを示す構成図である。
【図２】図２は、実施の形態１に係るスマート分電盤および自立コンセントを示す外観図である。
【図３】図３は、実施の形態１に係る電力供給システムを示す構成図である。
【図４】図４は、実施の形態１に係るスマート分電盤の第１の動作例を示すフローチャートである。
【図５Ａ】図５Ａは、実施の形態１に係る自立コンセントへの送電制御を示すフローチャートである。
【図５Ｂ】図５Ｂは、実施の形態１に係る自立コンセントへの送電制御を示すフローチャートである。
【図６】図６は、実施の形態１に係るスマート分電盤の第２の動作例を示すフローチャートである。
【図７】図７は、実施の形態１に係るスマート分電盤の第３の動作例を示すフローチャートである。
【図８】図８は、実施の形態２に係る電力供給システムを示す構成図である。
【図９】図９は、実施の形態３に係る電力供給システムを示す構成図である。
【図１０】図１０は、実施の形態３に係る分電盤の動作を示すフローチャートである。
【図１１】図１１は、実施の形態４に係る電力供給システムを示す構成図である。
【図１２】図１２は、実施の形態５に係る電力供給システムを示す構成図である。
【発明を実施するための形態】
【００１０】
（本発明の基礎となった知見）
近年、太陽光発電（ＰＶ）システムまたは燃料電池（ＦＣ）等が、一般住宅にも普及し始めている。本発明者は、これらの技術に関して、以下の問題が生じることを見出した。
【００１１】
図１は、本発明者によって想定された電力供給システムを示す構成図である。図１に示された電力供給システム１０は、機器１２４〜１２６および自立機器１２１〜１２３へ電力を供給する。以下に、図１に示された各構成要素を具体的に説明する。
【００１２】
主分電盤１０１は、分岐回路を有する分電盤である。主分電盤１０１は、電力系統１０４等から電力を受ける。そして、主分電盤１０１は、機器１２４〜１２６のそれぞれへ電力を供給する。
【００１３】
自立分電盤１０２は、分岐回路を有する追加的な分電盤である。自立分電盤１０２は、系統／自立切り替え器１０３から電力を受ける。そして、自立分電盤１０２は、自立機器１２１〜１２３のそれぞれへ電力を供給する。特に、自立分電盤１０２は、電力系統１０４が電力を供給していない場合でも、自立機器１２１〜１２３のそれぞれへ電力を供給する。
【００１４】
系統／自立切り替え器１０３は、系統電力をオンにする、あるいは、自立電力をオンにするための切り替え器である。例えば、電力系統１０４が電力を供給している場合、系統電力がオンにされる。一方、電力系統１０４が電力を供給していない場合、自立電力がオンにされる。
【００１５】
電力系統１０４は、電力会社が提供する電力供給システムである。太陽光発電パネル（ＰＶパネル）１０５および燃料電池（ＦＣ）１０９では、安定的かつ十分な電力が得られない場合がある。そのため、太陽光発電パネル１０５および燃料電池１０９が利用される場合でも、電力系統１０４が利用される。
【００１６】
太陽光発電パネル１０５は、ソーラーパネル、太陽電池パネルまたは太陽電池モジュールとも呼ばれ、太陽光を利用して発電する。例えば、太陽光発電パネル１０５は、パネル状に配置された複数の太陽電池で構成される。
【００１７】
太陽光発電パワーコンディショナー（ＰＶ  ＰＣＳ）１０６は、太陽光発電パネル１０５から供給される電力を調整する。例えば、太陽光発電パワーコンディショナー１０６は、太陽光発電パネル１０５から供給される電力を直流から交流に変換する。
【００１８】
蓄電池（ＳＢ）１０７は、太陽光発電パネル１０５または燃料電池１０９から供給される電力を蓄積する。
【００１９】
蓄電池パワーコンディショナー（ＳＢ  ＰＣＳ）１０８は、蓄電池１０７へ供給する電力、または、蓄電池１０７から供給される電力を調整する。例えば、蓄電池パワーコンディショナー１０８は、蓄電池１０７へ供給する電力を交流から直流に変換する。また、蓄電池パワーコンディショナー１０８は、蓄電池１０７から供給される電力を直流から交流に変換する。
【００２０】
燃料電池１０９は、燃料の化学反応を利用して発電する。例えば、燃料電池１０９は、水素と酸素とを反応させることによって発電する。
【００２１】
自立コンセント１１１〜１１３は、電力供給システム１０に自立機器１２１〜１２３を接続するためのインタフェースである。自立コンセント１１１〜１１３には、電力系統１０４から電力が供給されていない場合でも、太陽光発電パネル１０５等から電力が供給される。
【００２２】
コンセント１１４〜１１６は、電力供給システム１０に機器１２４〜１２６を接続するためのインタフェースである。電力系統１０４から電力が供給されていない場合、コンセント１１４〜１１６には、どこからも電力が供給されない。
【００２３】
自立機器１２１〜１２３は、電力の供給を受けて動作する機器であり、例えば、電力が常に供給されるべき家電である。これらの代表的な例は、冷蔵庫である。
【００２４】
機器１２４〜１２６は、電力の供給を受けて動作する機器であり、例えば、停止が許容される家電である。これらの代表的な例は、使用頻度の少ない部屋の照明機器である。
【００２５】
ブレーカー１３１〜１３３、１４２、１５１〜１５３、および、主幹ブレーカー１４１は、過電流または漏電等が検知された場合、回路を遮断する。
【００２６】
変流器（ＣＴ）１４３〜１４５は、それぞれ、主分電盤１０１における電流を測定するためのセンサである。太陽光発電パワーコンディショナー１０６、蓄電池パワーコンディショナー１０８および燃料電池１０９は、測定された電流の状態に応じて、主分電盤１０１に電力を供給する。
【００２７】
スイッチ１５４〜１５６および１６１〜１６３は、それぞれ、オンにされた場合、接続状態を導通に切り替え、オフにされた場合、接続状態を非導通に切り替える。スイッチ１５７は、太陽光発電パネル１０５、蓄電池１０７および燃料電池１０９から自立分電盤１０２への接続状態（経路）を切り替える。これらが切り替えられることにより、系統電力または自立電力がオンにされる。
【００２８】
以下、系統電力がオンにされている場合、および、自立電力がオンにされている場合について、電力供給システム１０の動作を具体的に説明する。
【００２９】
まず、系統電力がオンにされている場合、電力系統１０４は、主分電盤１０１に電力を供給する。また、太陽光発電パネル１０５も、太陽光発電パワーコンディショナー１０６を介して、主分電盤１０１に電力を供給する。さらに、燃料電池１０９も、系統／自立切り替え器１０３を介して、主分電盤１０１に電力を供給する。
【００３０】
また、主分電盤１０１から蓄電池１０７へ、または、蓄電池１０７から主分電盤１０１へ、電力が蓄電池パワーコンディショナー１０８および系統／自立切り替え器１０３等を介して供給される。
【００３１】
そして、主分電盤１０１は、機器１２４〜１２６に電力を供給する。また、主分電盤１０１は、系統／自立切り替え器１０３を介して、自立分電盤１０２に電力を供給する。自立分電盤１０２は、自立機器１２１〜１２３に電力を供給する。
【００３２】
一方、自立電力がオンにされている場合、太陽光発電パネル１０５、蓄電池１０７および燃料電池１０９は、主分電盤１０１に電力を供給しない。
【００３３】
太陽光発電パワーコンディショナー１０６は、太陽光発電パネル１０５からの電力を蓄電池パワーコンディショナー１０８に供給する。蓄電池パワーコンディショナー１０８は、太陽光発電パネル１０５からの電力を蓄電池１０７に供給する。また、蓄電池パワーコンディショナー１０８は、蓄電池１０７からの電力を系統／自立切り替え器１０３に供給する。また、燃料電池１０９は、系統／自立切り替え器１０３に電力を供給する。
【００３４】
そして、系統／自立切り替え器１０３は、太陽光発電パネル１０５からの電力、蓄電池１０７からの電力、および、燃料電池１０９からの電力を自立分電盤１０２に供給する。自立分電盤１０２は、自立機器１２１〜１２３に電力を供給する。
【００３５】
以上の構成および動作によって、電力供給システム１０は、電力系統１０４が電力を供給している場合も、電力系統１０４が電力を供給していない場合も、自立機器１２１〜１２３に電力を供給することができる。
【００３６】
しかしながら、電力供給システム１０では、自立分電盤１０２および系統／自立切り替え器１０３等を新たに設置する必要がある。電力系統１０４を利用する状態から電力系統１０４を利用しない状態への切り替えは、これらの装置を適切に制御する必要があるため、容易ではない。
【００３７】
さらに、地震などの重大な自然災害によって、電力系統１０４から電力が供給されない場合がある。この場合、ガス漏れ等が発生している可能性がある。したがって、この場合、太陽光発電パネル１０５等が自立機器１２１〜１２３へ電力を供給することが適切ではない可能性がある。そのため、自動の切替えよりも手動の切り替えの方が適切かもしれない。しかし、手動の切り替えには複雑な操作が求められるため、誤った操作で安全性が損なわれる可能性がある。
【００３８】
特許文献１は、自立運転支援装置を示す。しかし、特許文献１は、上記の問題を解決していない。
【００３９】
このような問題を解決するために、本発明の一態様に係る分電盤は、建物に設けられる負荷に電力を供給する分電盤であって、電力系統から供給される電力、或いは、外部に設けられる電力供給装置から供給される電力を前記負荷に供給するための電力線であって、前記電力供給装置から供給される電力の供給点である電力供給点が前記電力系統および前記負荷の間に設けられる電力線と、前記電力系統から前記電力線に電力が供給されない状態である停電を検知する検知部と、前記電力系統と前記電力供給点との間に設けられ、オンにされた場合に前記電力系統と前記電力供給点との間の接続状態を導通に切り替え、オフにされた場合に前記接続状態を非導通に切り替える第１のスイッチと、前記停電時に前記分電盤が動作するための電力供給源として機能する蓄電部と、前記検知部が前記停電を検知した場合、前記蓄電部から供給される電力を用いて前記第１のスイッチをオフにして前記接続状態を非導通にすることにより、前記停電時に前記電力供給装置から前記負荷に電力を供給するための回路を前記分電盤内に形成する制御部とを備える。
【００４０】
これにより、電力の利用状態を自立状態へ切り替えるための複数の構成要素が分電盤の内部に集約される。したがって、多数の装置を設置することなく、分電盤で、電力の利用状態を自立状態へ円滑に切り替えることが可能である。
【００４１】
例えば、前記分電盤は、さらに、オンにされた場合に、前記電力供給装置と前記電力線との間の接続状態を導通に切り替え、オフにされた場合に、前記接続状態を非導通に切り替える第２のスイッチを備え、前記制御部は、前記検知部が前記停電を検知したときに前記第２のスイッチがオフになっている場合、前記第１のスイッチをオフにしてから前記第２のスイッチをオンにしてもよい。
【００４２】
これにより、電力系統への接続状態が非導通に切り替えられた後に、電力供給装置への接続状態が導通に切り替えられる。したがって、逆潮が抑制される。
【００４３】
また、例えば、前記検知部は、前記停電を検知する停電センサから前記停電を示す情報を取得して、前記停電を検知してもよい。
【００４４】
これにより、分電盤の内部または外部の停電センサが用いられる。したがって、適切に停電が検知される。
【００４５】
また、例えば、前記検知部は、さらに、ガス漏れセンサおよび漏電センサのうち少なくとも一方から、ガス漏れおよび漏電のうち少なくとも一方を示す情報を取得して、前記建物の緊急状態を検知し、前記制御部は、さらに、前記検知部が前記緊急状態を検知した場合、前記第２のスイッチをオフにしてもよい。
【００４６】
これにより、ガス漏れまたは漏電の場合、電力の供給が停止する。したがって、より安全に電力を供給することが可能である。
【００４７】
また、例えば、前記検知部は、さらに、前記分電盤における異常を検知し、前記分電盤は、さらに、前記検知部が前記異常を検知した場合、前記異常を通知する通知部を備えてもよい。
【００４８】
これにより、分電盤が適切に動作しているか否かが通知される。したがって、電力の利用状態を自立状態へ確実に切り替えることが可能である。
【００４９】
また、例えば、前記制御部は、さらに、前記電力系統から電力が供給される場合、前記電力系統から供給される電力を用いて、動作してもよい。
【００５０】
これにより、制御部は、安定的かつ十分な電力で動作する。したがって、分電盤の信頼性が向上する。
【００５１】
また、例えば、前記負荷は、複数の負荷を含み、前記電力線には、前記複数の負荷が複数のコンセントを介して接続され、前記分電盤は、さらに、前記複数の負荷へ供給される電力を計測する負荷電力計測部と、それぞれが、前記電力線と前記複数のコンセントのうちのいずれかのコンセントとの間に設けられ、オンにされた場合に前記電力線と前記コンセントとの間の接続状態を導通に切り替え、オフにされた場合に前記接続状態を非導通に切り替える複数の第３のスイッチとを備え、前記制御部は、前記負荷電力計測部で計測された電力が前記電力供給装置の出力可能な電力として予め定められた電力を超える場合、前記複数の第３のスイッチのうちのいずれかの第３のスイッチをオフにしてもよい。
【００５２】
これにより、電力不足の場合に、複数の負荷のいずれもが電力を得ることができない状態が回避される。
【００５３】
また、例えば、前記電力供給装置は、蓄電池を備える蓄電装置を含み、前記負荷は、複数の負荷を含み、前記電力線には、前記複数の負荷が複数のコンセントを介して接続され、前記分電盤は、さらに、前記複数の負荷へ供給される電力を計測する負荷電力計測部と、前記蓄電池の残存電力量を計測する残存電力量計測部と、それぞれが、前記電力線と前記複数のコンセントのうちのいずれかのコンセントとの間に設けられ、オンにされた場合に前記電力線と前記コンセントとの間の接続状態を導通に切り替え、オフにされた場合に前記接続状態を非導通に切り替える複数の第３のスイッチとを備え、前記制御部は、前記複数の負荷へ供給される電力量が前記蓄電池の残存電力量を一定期間内に超える場合、前記複数の第３のスイッチのうちのいずれかの第３のスイッチをオフにしてもよい。
【００５４】
これにより、残存電力量が少ない場合に、複数の負荷のいずれもが電力を得ることができない状態が回避される。
【００５５】
また、例えば、前記制御部は、前記複数のコンセントのそれぞれに対して優先順位を設定し、前記優先順位の低い順に、前記複数のコンセントから対象コンセントを決定し、決定された前記対象コンセントに対応する第３のスイッチをオフにしてもよい。
【００５６】
これにより、優先順位のより高いコンセントに接続された負荷には、より確実に電力が供給される。
【００５７】
また、例えば、前記制御部は、所定の期間ごとに、前記複数のコンセントのそれぞれの前記優先順位を変更してもよい。
【００５８】
これにより、時間帯または季節に応じて、コンセントの優先順位が変更される。例えば、冬季の夜間に、より確実に暖房機を動作させることが可能である。
【００５９】
また、例えば、前記電力供給装置は、蓄電池を備える蓄電装置、太陽光発電装置、および、燃料電池装置の少なくとも１つを含んでもよい。
【００６０】
これにより、予め蓄積された電力、太陽光によって発電された電力、または、燃料の化学反応によって発電された電力等の利用が可能である。
【００６１】
また、例えば、前記電力供給装置は、蓄電池を備える蓄電装置、太陽光発電装置、および、燃料電池装置を含み、前記第２のスイッチは、オンにされた場合に前記蓄電装置と前記電力線との間の接続状態を導通に切り替え、オフにされた場合に前記接続状態を非導通に切り替える蓄電スイッチと、オンにされた場合に前記太陽光発電装置と前記電力線との間の接続状態を導通に切り替え、オフにされた場合に前記接続状態を非導通に切り替える太陽光発電スイッチと、オンにされた場合に前記燃料電池装置と前記電力線との間の接続状態を導通に切り替え、オフにされた場合に前記接続状態を非導通に切り替える燃料電池スイッチとを含み、前記制御部は、前記検知部が前記停電を検知した場合、前記蓄電スイッチをオンにしてから、前記太陽光発電スイッチ或いは前記燃料電池スイッチをオンにしてもよい。
【００６２】
これにより、蓄電装置が、最初に起動される。蓄電装置が起動してから電力を供給するまでの時間は、比較的短い。したがって、より早く電力の供給が開始される。
【００６３】
また、例えば、前記電力供給装置は、蓄電池を備える蓄電装置、太陽光発電装置、および、燃料電池装置を含み、前記電力線には、（ｉ）前記蓄電装置、前記太陽光発電装置および前記燃料電池装置から供給される電力を調整する電力調整装置が、前記第２のスイッチを介して接続され、（ｉｉ）前記蓄電装置、前記太陽光発電装置および前記燃料電池装置が、前記電力調整装置および前記第２のスイッチを介して接続されてもよい。
【００６４】
これにより、分電盤が蓄電装置、太陽光発電装置および燃料電池装置に接続するための構成が簡略化される。
【００６５】
また、例えば、前記制御部は、前記第１のスイッチがオンにされた場合、前記電力系統から供給される電力を前記蓄電部に充電させてもよい。
【００６６】
これにより、蓄電部は、安定的かつ十分な電力で充電される。したがって、分電盤の信頼性が向上する。
【００６７】
また、例えば、前記分電盤は、さらに、ユーザから指示を受付ける第４のスイッチを備え、前記検知部は、さらに、前記第４のスイッチによって受付けられた前記指示を検知し、前記制御部は、前記検知部が前記停電を検知した場合、かつ、前記検知部が前記指示を検知した場合、前記第２のスイッチをオンにすることにより、前記電力供給装置から供給される電力を前記負荷に供給してもよい。
【００６８】
これにより、電力の利用状態が、より安全に自立状態へ切り替えられる。そして、より安全に電力が供給される。
【００６９】
また、例えば、前記分電盤は、さらに、前記停電時に、前記第４のスイッチを照らす照明部を備えてもよい。
【００７０】
これにより、夜間の停電時に、スイッチをユーザに視認させることができる。したがって、電力の利用状態を自立状態へ円滑に切り替えることが可能である。
【００７１】
また、例えば、前記検知部は、前記分電盤の外部に設けられるセンサであり前記電力供給装置に付随するセンサである前記停電センサから前記停電を示す情報を取得して、前記停電を検知してもよい。
【００７２】
これにより、停電の検知に、電力供給装置に付随するセンサが用いられる。したがって、追加のコストが抑制される。
【００７３】
なお、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００７４】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００７５】
（実施の形態１）
図２は、本実施の形態に係るスマート分電盤および自立コンセントを示す外観図である。図２に示されたスマート分電盤２００は、自立コンセント２１１等に電力を供給する。
【００７６】
スマート分電盤２００は、分岐回路を有する分電盤であり、停電灯２０１および自立スイッチ２０２を有する。自立スイッチ２０２は、ユーザが電力の利用状態を自立状態に切り替えるためのスイッチである。自立スイッチ２０２は、自立スイッチ２０２を誤操作から保護するカバーで覆われていてもよい。カバーは、開閉可能であってもよいし、自立スイッチ２０２の操作時に破壊されることが前提とされてもよい。停電灯２０１は、停電時に自立スイッチ２０２を照らす。
【００７７】
１番目の自立コンセント２１１は、ラベル２８１および警告灯２９１を含むパネル２７１と共に設置される。ラベル２８１は、自立コンセント２１１の優先順位を示す。警告灯２９１は、自立コンセント２１１から電力を得ることができること、または、自立コンセント２１１から電力を得ることができないことを示す。パネル２７１には、詳細な情報を表示するための表示部（ディスプレイ）が設けられてもよい。あるいは、警告灯２９１が、表示部（ディスプレイ）であってもよい。
【００７８】
同様に、２番目の自立コンセント２１２は、ラベル２８２および警告灯２９２を含むパネル２７２と共に設置される。３番目の自立コンセント２１３は、ラベル２８３および警告灯２９３を含むパネル２７３と共に設置される。Ｎ＋１番目の自立コンセント２１０は、ラベル２８０および警告灯２９０を含むパネル２７０と共に設置される。なお、コンセントまたは自立コンセントと共に設置されるパネルをコンセントまたは自立コンセントと呼ぶ場合がある。
【００７９】
図３は、図２に示されたスマート分電盤２００を含む電力供給システムを示す構成図である。図３に示された電力供給システム２０は、自立機器３２１〜３２３および機器３２４〜３２６へ電力を供給する。以下に、図３に示された各構成要素を具体的に説明する。
【００８０】
スマート分電盤２００は、分岐回路を有する分電盤である。スマート分電盤２００は、電力系統２０４、太陽光発電パネル（ＰＶパネル）２０５、蓄電池（ＳＢ）２０７、および、燃料電池（ＦＣ）２０９から電力を受ける。そして、スマート分電盤２００は、自立機器３２１〜３２３および機器３２４〜３２６のそれぞれへ電力を供給する。特に、スマート分電盤２００は、電力系統２０４が電力を供給していない場合でも、自立機器３２１〜３２３のそれぞれへ電力を供給する。
【００８１】
また、スマート分電盤２００は、図２に示された停電灯２０１および自立スイッチ２０２を備える。さらに、スマート分電盤２００は、検知部２２１、制御部２２２、蓄電部２２３、ブレーカー２３１〜２３６、２４２、２５４、２５５、主幹ブレーカー２４１、系統リレー２４７、太陽光発電リレー（ＰＶリレー）２４８、蓄電池リレー（ＳＢリレー）２５１、燃料電池リレー（ＦＣリレー）２５２、コンセントリレー２６１〜２６６、変流器（ＣＴ）２４３〜２４５、および、電力線２４０等を備える。
【００８２】
検知部２２１は、電力系統２０４から電力が供給されない状態である停電を検知する。また、検知部２２１は、自立スイッチ２０２を介してユーザの指示を検知する。また、検知部２２１は、ガス漏れ検知器２２４を介してガス漏れを検知する。
【００８３】
制御部２２２は、スマート分電盤２００の動作を制御する。例えば、制御部２２２は、検知部２２１で検知された情報に基づいて、系統リレー２４７、太陽光発電リレー２４８、蓄電池リレー２５１、燃料電池リレー２５２、および、コンセントリレー２６１〜２６６を制御する。
【００８４】
蓄電部２２３は、電力系統２０４から供給される電力を充電する。そして、蓄電部２２３は、停電時に、スマート分電盤２００に含まれる各構成要素に電力を供給する。蓄電部２２３は、停電時に、太陽光発電パネル２０５、蓄電池２０７および燃料電池２０９から供給される電力を充電してもよい。
【００８５】
ブレーカー２３１〜２３６、２４２、２５４、２５５、および、主幹ブレーカー２４１は、過電流または漏電等が検知された場合、回路を遮断する。これらは、ユーザの操作で、回路を遮断してもよい。
【００８６】
電力線２４０は、自立機器３２１〜３２３および機器３２４〜３２６へ電力を供給するための電力線である。
【００８７】
変流器２４３〜２４５は、それぞれ、スマート分電盤２００における電流を測定するためのセンサである。太陽光発電パワーコンディショナー（ＰＶ  ＰＣＳ）２０６、蓄電池パワーコンディショナー（ＳＢ  ＰＣＳ）２０８および燃料電池２０９は、測定された電流の状態に応じて、スマート分電盤２００に電力を供給する。
【００８８】
系統リレー２４７、太陽光発電リレー２４８、蓄電池リレー２５１、燃料電池リレー２５２、および、コンセントリレー２６１〜２６６は、それぞれ、スイッチの一種であり、電気信号によって電気回路の開閉を行う。具体的には、制御部２２２が、これらをそれぞれオンまたはオフにする。これらは、それぞれ、オンにされた場合、接続状態を導通に切り替え、オフにされた場合、接続状態を非導通に切り替える。
【００８９】
電力系統２０４は、電力会社が提供する電力供給システムである。太陽光発電パネル２０５および燃料電池２０９では、安定的かつ十分な電力が得られない場合がある。そのため、太陽光発電パネル２０５および燃料電池２０９が利用される場合でも、電力系統２０４が利用される。
【００９０】
太陽光発電パネル２０５は、ソーラーパネル、太陽電池パネルまたは太陽電池モジュールとも呼ばれ、太陽光を利用して発電する。例えば、太陽光発電パネル２０５は、パネル状に配置された複数の太陽電池で構成される。
【００９１】
太陽光発電パワーコンディショナー２０６は、太陽光発電パネル２０５から供給される電力を調整する。例えば、太陽光発電パワーコンディショナー２０６は、太陽光発電パネル２０５から供給される電力を直流から交流に変換する。
【００９２】
蓄電池２０７は、太陽光発電パネル２０５または燃料電池２０９から供給される電力を蓄積する。
【００９３】
蓄電池パワーコンディショナー２０８は、蓄電池２０７へ供給する電力、または、蓄電池２０７から供給される電力を調整する。例えば、蓄電池パワーコンディショナー２０８は、蓄電池２０７へ供給する電力を交流から直流に変換する。また、蓄電池パワーコンディショナー２０８は、蓄電池２０７から供給される電力を直流から交流に変換する。
【００９４】
燃料電池２０９は、燃料の化学反応を利用して発電する。例えば、燃料電池２０９は、水素と酸素とを反応させることによって発電する。
【００９５】
自立コンセント２１１〜２１３は、電力供給システム２０に自立機器３２１〜３２３を接続するためのインタフェースである。自立コンセント２１１〜２１３には、電力系統２０４から電力が供給されていない場合でも、太陽光発電パネル２０５等から電力が供給される。自立コンセント２１１〜２１３は、図２の通り、警告灯２９１〜２９３と共に設置される。
【００９６】
コンセント２１４〜２１６は、電力供給システム２０に機器３２４〜３２６を接続するためのインタフェースである。電力系統２０４から電力が供給されていない場合、コンセント２１４〜２１６には、電力が供給されない。
【００９７】
自立機器３２１〜３２３は、電力の供給を受けて動作する機器であり、例えば、電力が常に供給されるべき家電である。これらの代表的な例は、冷蔵庫である。
【００９８】
機器３２４〜３２６は、電力の供給を受けて動作する機器であり、例えば、停止が許容される家電である。これらの代表的な例は、使用頻度の少ない部屋の照明機器である。
【００９９】
ガス漏れ検知器２２４は、ガス漏れを検知するセンサである。ガス漏れ検知器２２４は、スマート分電盤２００の中に備えられてもよいし、検知部２２１の中に備えられてもよい。
【０１００】
電力系統２０４から電力が供給される場合、その電力は、系統リレー２４７および主幹ブレーカー２４１等を介して電力線２４０に供給される。また、太陽光発電パネル２０５から供給される電力は、太陽光発電パワーコンディショナー２０６、太陽光発電リレー２４８、ブレーカー２４２および主幹ブレーカー２４１等を介して電力線２４０に供給される。
【０１０１】
そして、蓄電池２０７から供給される電力は、蓄電池パワーコンディショナー２０８、蓄電池リレー２５１およびブレーカー２５４等を介して電力線２４０に供給される。燃料電池２０９から供給される電力は、燃料電池リレー２５２およびブレーカー２５５等を介して電力線２４０に供給される。
【０１０２】
電力線２４０に供給された電力は、ブレーカー２３１〜２３６およびコンセントリレー２６１〜２６６を介して、自立コンセント２１１〜２１３およびコンセント２１４〜２１６に供給される。自立コンセント２１１〜２１３およびコンセント２１４〜２１６に供給された電力は、自立機器３２１〜３２３および機器３２４〜３２６に供給される。
【０１０３】
図４は、図２および図３に示されたスマート分電盤２００の第１の動作例を示すフローチャートである。図４には、停電時の動作が示されている。また、図４に示された動作例では、自動で切り替えが行われる。
【０１０４】
まず、検知部２２１は、停電を検知する停電センサ、および、ガス漏れ検知器２２４から、それぞれ、センサ情報を取り込む（Ｓ１０１）。停電センサは、検知部２２１に備えられてもよいし、スマート分電盤２００の内部または外部の装置に備えられてもよいし、他の装置から独立して備えられてもよい。検知部２２１が停電センサであってもよい。検知部２２１は、センサ情報に基づいて、停電またはガス漏れを検知する。
【０１０５】
停電が検知されなかった場合（Ｓ１０２でＮｏ）、かつ、ガス漏れも検知されなかった場合（Ｓ１０３でＮｏ）、スマート分電盤２００は、最初から処理を繰り返す。
【０１０６】
停電が検知されなかった場合（Ｓ１０２でＮｏ）、かつ、ガス漏れが検知された場合（Ｓ１０３でＹｅｓ）、検知部２２１は、ガス漏れ警報を通知する（Ｓ１０４）。その後、スマート分電盤２００は、最初から処理を繰り返す。停電が検知された場合（Ｓ１０２でＹｅｓ）、かつ、ガス漏れも検知された場合（Ｓ１０３でＹｅｓ）、同様に、検知部２２１は、ガス漏れ警報を通知する（Ｓ１０４）。そして、スマート分電盤２００は、最初から処理を繰り返す。
【０１０７】
停電が検知された場合（Ｓ１０２でＹｅｓ）、かつ、ガス漏れが検知されなかった場合（Ｓ１０５でＮｏ）、制御部２２２は、系統リレー２４７における接続状態を非導通に切り替える。これにより、電力線２４０と電力系統２０４とが切断される（Ｓ１０６）。これにより、電力系統２０４への逆潮が抑制される。なお、この時、制御部２２２は、全てのリレーにおける接続状態を非導通に切り替えてもよい。
【０１０８】
次に、制御部２２２は、蓄電池システム（蓄電池２０７および蓄電池パワーコンディショナー２０８）を起動する（Ｓ１０９）。例えば、制御部２２２は、蓄電池パワーコンディショナー２０８へ起動を指示する信号を送信する。そして、制御部２２２は、蓄電池リレー２５１における接続状態を導通に切り替える。これにより、蓄電池２０７から電力線２４０に電力が供給される。
【０１０９】
次に、制御部２２２は、太陽光発電システム（太陽光発電パネル２０５および太陽光発電パワーコンディショナー２０６）を起動する（Ｓ１１０）。例えば、制御部２２２は、太陽光発電パワーコンディショナー２０６へ起動を指示する信号を送信する。そして、制御部２２２は、太陽光発電リレー２４８における接続状態を導通に切り替える。これにより、太陽光発電パネル２０５から電力線２４０に電力が供給される。
【０１１０】
次に、制御部２２２は、自立コンセント２１１〜２１３を立ち上げる（Ｓ１１１）。すなわち、制御部２２２は、自立コンセント２１１〜２１３に電力を供給する。具体的には、制御部２２２は、コンセントリレー２６１〜２６３における接続状態を導通に切り替える。これにより、電力線２４０から自立コンセント２１１〜２１３に電力が供給される。
【０１１１】
次に、制御部２２２は、燃料電池システム（燃料電池２０９）を起動する（Ｓ１１２）。例えば、制御部２２２は、燃料電池２０９へ起動を指示する信号を送信する。そして、制御部２２２は、燃料電池リレー２５２における接続状態を導通に切り替える。これにより、燃料電池２０９から電力線２４０に電力が供給される。
【０１１２】
次に、検知部２２１は、復電を検知する（Ｓ１１３）。ここで、検知部２２１は、復電を検知するまで待機する（Ｓ１１３でＮｏ）。
【０１１３】
復電が検知された場合（Ｓ１１３でＹｅｓ）、制御部２２２は、自立コンセント２１１〜２１３を切断する（Ｓ１１４）。すなわち、制御部２２２は、コンセントリレー２６１〜２６３における接続状態を非導通に切り替える。
【０１１４】
次に、制御部２２２は、燃料電池システムを停止する（Ｓ１１５）。例えば、制御部２２２は、燃料電池２０９へ停止を指示する信号を送信する。そして、制御部２２２は、燃料電池リレー２５２における接続状態を非導通に切り替える。
【０１１５】
次に、制御部２２２は、太陽光発電システムを停止する（Ｓ１１６）。例えば、制御部２２２は、太陽光発電パワーコンディショナー２０６へ停止を指示する信号を送信する。そして、制御部２２２は、太陽光発電リレー２４８における接続状態を非導通に切り替える。
【０１１６】
次に、制御部２２２は、蓄電池システムを停止する（Ｓ１１７）。例えば、制御部２２２は、蓄電池パワーコンディショナー２０８へ停止を指示する信号を送信する。そして、制御部２２２は、蓄電池リレー２５１における接続状態を非導通に切り替える。
【０１１７】
次に、制御部２２２は、系統リレー２４７における接続状態を導通に切り替える（Ｓ１１８）。これにより、電力系統２０４から電力線２４０に電力が供給される。
【０１１８】
次に、制御部２２２は、蓄電池システムを起動する（Ｓ１１９）。例えば、制御部２２２は、蓄電池パワーコンディショナー２０８へ起動を指示する信号を送信する。そして、制御部２２２は、蓄電池リレー２５１における接続状態を導通に切り替える。これにより、蓄電池２０７から電力線２４０に電力が供給される。
【０１１９】
次に、制御部２２２は、太陽光発電システムを起動する（Ｓ１２０）。例えば、制御部２２２は、太陽光発電パワーコンディショナー２０６へ起動を指示する信号を送信する。そして、制御部２２２は、太陽光発電リレー２４８における接続状態を導通に切り替える。これにより、太陽光発電パネル２０５から電力線２４０に電力が供給される。
【０１２０】
次に、制御部２２２は、自立コンセント２１１〜２１３およびコンセント２１４〜２１６を立ち上げる（Ｓ１２１）。すなわち、制御部２２２は、自立コンセント２１１〜２１３およびコンセント２１４〜２１６に電力を供給する。具体的には、制御部２２２は、コンセントリレー２６１〜２６６における接続状態を導通に切り替える。これにより、電力線２４０から自立コンセント２１１〜２１３およびコンセント２１４〜２１６に電力が供給される。
【０１２１】
次に、制御部２２２は、燃料電池システムを起動する（Ｓ１１２）。例えば、制御部２２２は、燃料電池２０９へ起動を指示する信号を送信する。そして、制御部２２２は、燃料電池リレー２５２における接続状態を導通に切り替える。これにより、燃料電池２０９から電力線２４０に電力が供給される。
【０１２２】
その後、スマート分電盤２００は、最初から処理を繰り返す。すなわち、検知部２２１が、再度、センサ情報を取り込む（Ｓ１０１）。
【０１２３】
上述の通り、停電時および復電時において、蓄電池システムが最初に起動される。次に、太陽光発電システムが起動される。最後に、燃料電池システムが起動される。蓄電池システムが起動してから、蓄電池システムの電力が供給されるまでの時間は、数秒である。太陽光発電システムが起動してから、太陽光発電システムの電力が供給されるまでの時間は、数分である。燃料電池システムが起動してから、燃料電池システムの電力が供給されるまでの時間は、１時間程度である。
【０１２４】
したがって、蓄電池システムを最初に起動することにより、電力線２４０に早く電力が供給される。なお、太陽光発電システムの起動（Ｓ１１０）、自立コンセントの立ち上げ（Ｓ１１１）、および、燃料電池システムの起動（Ｓ１１２）の順番は、図４の例に限られず、どのような順番でもよい。また、停止の順番は、図４の例に限られず、蓄電池システム、太陽光発電システムおよび燃料電池システムが同時に停止されてもよい。
【０１２５】
また、復電時において、蓄電池システム、太陽光発電システムおよび燃料電池システムは、一度、停止してから起動する。これにより、蓄電池システム、太陽光発電システムおよび燃料電池システムは、電力系統２０４から供給される交流電力の位相に位相が整合する交流電力を供給することができる。別の方法で、これらの位相を整合させることが可能である場合、蓄電池システム、太陽光発電システムおよび燃料電池システムは、停止しなくてもよい。
【０１２６】
また、全ての自立コンセント２１１〜２１３に電力を供給した場合、電力不足に陥る可能性がある。そのため、優先順位に基づいて、自立コンセント２１１〜２１３のうち優先順位の高い自立コンセントのみに電力を供給してもよい。
【０１２７】
図５Ａおよび図５Ｂは、図２および図３に示された複数の自立コンセントへの送電制御を示すフローチャートである。なお、図５Ａおよび図５Ｂでは、Ｎ＋１個の自立コンセントとスマート分電盤２００とが接続していることが前提とされる。
【０１２８】
まず、制御部２２２は、１番目の自立コンセントへの送電条件が満たされるか否かを判定する（Ｓ２０１）。
【０１２９】
送電条件は、具体的には、例えば以下の４つの条件で構成される。まず、１番目の条件は、対象の自立コンセントが存在することである。２番目の条件は、使用可能電力率が第１の所定値以下であることである。使用可能電力率は、以下の式１で示される。
【０１３０】
使用可能電力率＝現在の消費電力（Ｗ）／供給可能電力（Ｗ）  ・・・（式１）
【０１３１】
供給可能電力は、蓄電池システム、太陽光発電システムおよび燃料電池システムによって供給可能な電力である。第１の所定値は、例えば、８０％であり、パワーコンディショナー等の装置が異常を生じない程度の値である。
【０１３２】
３番目の条件は、蓄電池の残容量が第２の所定値以上であることである。例えば、第２の所定値は、計画停電が行われる間（約３〜５時間程度）、電力を供給できる程度の値である。より具体的には、第２の所定値は、以下の式２で示される自立運転可能時間が約３〜５時間程度である場合の蓄電池残容量である。
【０１３３】
自立運転可能時間＝現在の蓄電池残容量（ＡＨ）／現在の消費電流（Ａ）  ・・・（式２）
【０１３４】
なお、式２は、自立運転が開始してからの経過時間である自立運転経過時間を用いて、式３に置き換えられてもよい。
【０１３５】
自立運転可能時間＝現在の蓄電池残容量（ＡＨ）／現在の消費電流（Ａ）＋自立運転経過時間  ・・・（式３）
【０１３６】
４番目の条件は、自立運転経過時間が第３の所定値以下であることである。例えば、第３の所定値は、自立運転可能時間の９０％である。送電条件は、上記の４つの条件のいずれかでもよいし、それらの任意の組み合わせでもよい。
【０１３７】
１番目の自立コンセントへの送電条件が満たされない場合（Ｓ２０１でＮｏ）、制御部２２２は、１番目の自立コンセントに電力を供給しない。そして、制御部２２２は、１番目の自立コンセント（警告灯）に警告を表示する。つまり、制御部２２２は、１番目の自立コンセントに電力が供給されていないことを警告灯によって通知する。制御部２２２は、自立コンセントに蓄電池残容量を表示してもよい。そして、制御部２２２は、所定時間待機する（Ｓ２０２）。
【０１３８】
その後、制御部２２２は、再度、１番目の自立コンセントへの送電条件が満たされるか否かを判定し（Ｓ２０１）、以降の処理を繰り返す。
【０１３９】
１番目の自立コンセントへの送電条件が満たされる場合（Ｓ２０１でＹｅｓ）、制御部２２２は、１番目の自立コンセントに電力を供給する（Ｓ２０３）。ここで、電力が供給されていなかった場合、送電を開始し、既に電力が供給されている場合、送電を継続する。
【０１４０】
次に、制御部２２２は、２番目の自立コンセントへの送電条件が満たされるか否かを判定する（Ｓ２０４）。２番目の自立コンセントへの送電条件が満たされない場合（Ｓ２０４でＮｏ）、制御部２２２は、２番目の自立コンセントに電力を供給しない。そして、制御部２２２は、２番目の自立コンセントに警告を表示する。そして、制御部２２２は、所定時間待機する（Ｓ２０５）。その後、制御部２２２は、再度、１番目の自立コンセントへの送電条件が満たされるか否かを判定し（Ｓ２０１）、以降の処理を繰り返す。
【０１４１】
２番目の自立コンセントへの送電条件が満たされる場合（Ｓ２０４でＹｅｓ）、制御部２２２は、２番目の自立コンセントに電力を供給する（Ｓ２０６）。ここで、電力が供給されていなかった場合、送電を開始し、既に電力が供給されている場合、送電を継続する。
【０１４２】
次に、制御部２２２は、３番目の自立コンセントへの送電条件が満たされるか否かを判定する（Ｓ２０７）。３番目の自立コンセントへの送電条件が満たされない場合（Ｓ２０７でＮｏ）、制御部２２２は、３番目の自立コンセントに電力を供給しない。そして、制御部２２２は、３番目の自立コンセントに警告を表示する。そして、制御部２２２は、所定時間待機する（Ｓ２０８）。その後、制御部２２２は、１つ前の２番目の自立コンセントへの送電条件が満たされるか否かを判定し（Ｓ２０４）、以降の処理を繰り返す。
【０１４３】
３番目の自立コンセントへの送電条件が満たされる場合（Ｓ２０７でＹｅｓ）、制御部２２２は、３番目の自立コンセントに電力を供給する（Ｓ２０９）。ここで、電力が供給されていなかった場合、送電を開始し、既に電力が供給されている場合、送電を継続する。
【０１４４】
以降、同様の処理が繰り返される（Ｓ２１０〜Ｓ２２９）。すなわち、送電条件が満たされる場合、送電が行われ、次の自立コンセントの送電条件が満たされるか否かが判定される。そして、送電条件が満たされない場合、送電が行われず、前の自立コンセントの送電条件が満たされるか否かが判定される。
【０１４５】
Ｎ＋１番目の自立コンセントへの送電開始または送電継続の処理の後（Ｓ２２９）、制御部２２２は、Ｎ＋２番目の自立コンセントへの送電条件が満たされるか否かを判定する（Ｓ２３０）。Ｎ＋２番目の自立コンセントは存在しないため、Ｎ＋２番目の自立コンセントへの送電条件が満たされると判定された場合（Ｓ２３０でＹｅｓ）、制御部２２２は、異常処理を行う（Ｓ２３２）。例えば、制御部２２２は、警報を通知する。
【０１４６】
Ｎ＋２番目の自立コンセントへの送電条件が満たされないと判定された場合（Ｓ２３０でＮｏ）、制御部２２２は、所定時間待機する（Ｓ２３１）。そして、制御部２２２は、再度、Ｎ＋１番目の自立コンセントへの送電条件が満たされるか否かを判定し（Ｓ２２７）、以降の処理を繰り返す。
【０１４７】
上記の手順によって、優先順位の高い自立コンセントに優先的に電力が供給される。例えば、優先順位の高い自立コンセントに対応するコンセントリレーがオンにされ、優先順位の低い自立コンセントに対応するコンセントリレーがオフにされる。これにより、優先順位の高い自立コンセントには、より確実に電力が供給される。
【０１４８】
図６は、図２および図３に示されたスマート分電盤２００の第２の動作例を示すフローチャートである。図６には、停電時の動作が示されている。また、図６に示された動作例では、手動で切り替えが行われる。図６に示された動作例は、図４に示された動作例とほぼ同様である。図６に示された動作例には、停電灯２０１の点灯処理（Ｓ１０７）、および、自立スイッチ２０２の判定処理（Ｓ１０８）が追加されている。
【０１４９】
停電時に電力が供給されることで、安全性が損なわれる場合がある。そこで、図６の例では、手動で自立運転が開始される。
【０１５０】
具体的には、停電が検知され、系統リレー２４７で接続状態が非導通に切り替えられた後（Ｓ１０６）、停電灯２０１が点灯する（Ｓ１０７）。そして、自立スイッチ２０２がオンにされるまで待機する（Ｓ１０８でＮｏ）。自立スイッチ２０２がオンにされた後（Ｓ１０８でＹｅｓ）、蓄電池システム、太陽光発電システムおよび燃料電池システムが起動する（Ｓ１０９、Ｓ１１０、Ｓ１１２）。
【０１５１】
これにより、ユーザによって安全が確認された後、蓄電池システム、太陽光発電システムおよび燃料電池システムから電力が供給される。したがって、より安全に電力が供給される。なお、スマート分電盤２００は、図４のように自動動作モードで動作してもよいし、図６のように手動動作モードで動作してもよい。ユーザが、事前に自動動作モードおよび手動動作モードのいずれかを選択してもよい。そして、選択された動作モードが、スマート分電盤２００に予め設定されてもよい。
【０１５２】
図７は、図２および図３に示されたスマート分電盤２００の第３の動作例を示すフローチャートである。図７に示された動作例では、図４および図６で示された動作例の一部が変更されている。
【０１５３】
センサ情報の取り込み処理（Ｓ１０１）、停電の判定処理（Ｓ１０２）、および、ガス漏れの判定処理（Ｓ１０３）は、図４および図６で示された処理と同様である。
【０１５４】
図７の動作例では、停電が検知されなかった場合（Ｓ１０２でＮｏ）、かつ、ガス漏れが検知された場合（Ｓ１０３でＹｅｓ）、安全確保のため、制御部２２２は、自立コンセント２１１〜２１３およびコンセント２１４〜２１６を切断する（Ｓ３０１）。すなわち、制御部２２２は、コンセントリレー２６１〜２６６における接続状態を非導通に切り替える。そして、検知部２２１は、図４および図６で示された処理と同様に、ガス漏れ警報を通知する（Ｓ１０４）。
【０１５５】
また、図７の動作例では、停電が検知された場合（Ｓ１０２でＹｅｓ）、制御部２２２は、ガス漏れの判定結果によらず、系統リレー２４７における接続状態を非導通に切り替える。これにより、電力線２４０と電力系統２０４とが切断される（Ｓ３０２）。そして、制御部２２２は、自立コンセント２１１〜２１３およびコンセント２１４〜２１６を切断する（Ｓ３０２）。すなわち、制御部２２２は、コンセントリレー２６１〜２６６における接続状態を非導通に切り替える。
【０１５６】
また、制御部２２２は、燃料電池システム、太陽光発電システムおよび蓄電池システムを停止する（Ｓ３０４、３０５、Ｓ３０６）。これらの処理は、図４および図６に示された燃料電池システム、太陽光発電システムおよび蓄電池システムの停止処理（Ｓ１１５、Ｓ１１６、Ｓ１１６）と同様である。
【０１５７】
すなわち、停電が検知された場合（Ｓ１０２でＹｅｓ）、ガス漏れの判定処理の前に、電力の供給が停止される。電力の供給が停止された後、ガス漏れの判定処理（Ｓ１０５）が行われる。そして、ガス漏れが検知された場合（Ｓ１０５でＹｅｓ）、検知部２２１は、図４および図６で示された処理と同様に、ガス漏れ警報を通知する（Ｓ１０４）。
【０１５８】
ガス漏れが検知されなかった場合（Ｓ１０５でＮｏ）、かつ、自動で切り替えが行われる場合（Ｓ３０７でＹｅｓ）、制御部２２２は、蓄電池システムを起動する（Ｓ１０９）。以降の処理は、図４に示された動作例と同様である。
【０１５９】
ガス漏れが検知されなかった場合（Ｓ１０５でＮｏ）、かつ、自動で切り替えが行われない場合（Ｓ３０７でＮｏ）、停電灯２０１が点灯する（Ｓ１０７）。以降の処理は、図６に示された動作例と同様である。
【０１６０】
図７の動作例では、停電時において、ガス漏れの判定結果によらず、系統リレー２４７における接続状態が非導通に切り替えられる。そして、この時、電力の供給も停止される。これにより、停電時の逆潮がより確実に抑制される。また、一旦、電力の供給を停止した後に、電力の供給を再開することにより、より安全に、かつ、より安定的に、電力の供給が可能である。
【０１６１】
以上の通り、本実施の形態では、スマート分電盤２００において、動作の切り替えが行われる。したがって、様々な機器を設置するよりも、円滑な動作の切り替えが可能である。
【０１６２】
また、スマート分電盤２００は、蓄電池システム、太陽光発電システムおよび燃料電池システムを適切な順番で起動させる。これにより、スマート分電盤２００は、自立機器３２１〜３２３に早く電力を供給できる。
【０１６３】
また、スマート分電盤２００は、自立コンセント２１１〜２１３のそれぞれについて、送電を制御する。これにより、自立機器３２１〜３２３のいずれにも電力が供給されない状態が回避される。
【０１６４】
なお、自立コンセントの数、および、コンセントの数は、それぞれ、いくつであってもよい。また、本実施の形態では、自立コンセントと通常のコンセントとが区別されているが、それらは区別されなくてもよい。例えば、すべてが自立コンセントでもよい。そして、優先順位に従って、許容される範囲で、それらに電力が供給されてもよい。
【０１６５】
また、スマート分電盤２００は、様々な情報を通知するためのディスプレイまたはスピーカーを備えていてもよい。例えば、検知部２２１は、ディスプレイまたはスピーカーを介して、検知された情報をユーザに通知してもよい。また、制御部２２２は、ディスプレイまたはスピーカーを介して、動作に関する情報をユーザに通知してもよい。
【０１６６】
（実施の形態２）
実施の形態１では、太陽光発電パネル２０５、蓄電池２０７および燃料電池２０９のそれぞれが、スマート分電盤２００に独立して接続される。本実施の形態では、太陽光発電パネル２０５、蓄電池２０７および燃料電池２０９が、ひとつのパワーコンディショナーに接続される。そして、そのパワーコンディショナーが、スマート分電盤２００に接続される。これらの接続形態が異なることを除いて、実施の形態１と同様である。
【０１６７】
したがって、実施の形態１と同様の効果が得られる。さらに、本実施の形態では、配線が簡素化されるため、安全性および信頼性が向上する。
【０１６８】
図８は、本実施の形態に係る電力供給システムを示す構成図である。図８の電力供給システム４０では、太陽光発電パネル２０５、蓄電池２０７および燃料電池２０９が、共通のパワーコンディショナー（ＰＣＳ）４０１に接続される。そして、パワーコンディショナー４０１がスマート分電盤４００に接続される。
【０１６９】
具体的には、パワーコンディショナー４０１が、パワーコンディショナーリレー（ＰＣＳリレー）４４８、ブレーカー４４２および主幹ブレーカー２４１を介して電力線２４０に接続される。変流器（ＣＴ）４４３は、スマート分電盤４００における電流を測定するためのセンサである。パワーコンディショナー４０１は、測定された電流の状態に応じて、スマート分電盤４００に電力を供給する。
【０１７０】
制御部４２２は、系統リレー２４７およびコンセントリレー２６１〜２６６等の動作を制御し、さらに、パワーコンディショナー４０１およびパワーコンディショナーリレー４４８の動作を制御する。
【０１７１】
例えば、制御部４２２は、検知部２２１で停電が検知された場合、系統リレー２４７をオフにしてパワーコンディショナーリレー４４８をオンにする。また、制御部４２２は、パワーコンディショナー４０１に、起動を指示する信号を送信してもよい。これにより、太陽光発電パネル２０５、蓄電池２０７および燃料電池２０９から電力線２４０に電力が供給される。
【０１７２】
そして、制御部４２２は、コンセントリレー２６１〜２６３をオンにする。これにより、自立コンセント２１１〜２１３を介して、電力線２４０から自立機器３２１〜３２３へ電力が供給される。
【０１７３】
図３に示された電力供給システム２０に比べて、図８に示された電力供給システム４０では、配線が簡素化される。したがって、安全性および信頼性が向上する。
【０１７４】
また、本実施の形態に係るスマート分電盤４００は、実施の形態１に係るスマート分電盤２００と同様に、動作の切り替えを行う。したがって、様々な機器を設置するよりも、円滑な動作の切り替えが可能である。
【０１７５】
また、本実施の形態に係るスマート分電盤４００は、実施の形態１に係るスマート分電盤２００と同様に、自立コンセント２１１〜２１３のそれぞれについて、送電を制御する。これにより、自立機器３２１〜３２３のいずれにも電力が供給されない状態が回避される。
【０１７６】
本実施の形態では、パワーコンディショナー４０１が、蓄電池システム、太陽光発電システムおよび燃料電池システムを適切な順番で起動させる。これにより、自立機器３２１〜３２３に早く電力が供給される。
【０１７７】
（実施の形態３）
本実施の形態は、実施の形態１および２に含まれる特徴的な構成および特徴的な処理を示す。
【０１７８】
図９は、本実施の形態に係る電力供給システムを示す構成図である。図９に示された電力供給システム５０は、負荷５４０に電力を供給する。以下に、図９に示された各構成要素を具体的に説明する。
【０１７９】
電力系統２０４は、電力会社が提供する電力供給システムである。電力供給装置５２０は、電力を供給する装置であり、分電盤５００の外部に設けられる。例えば、電力供給装置５２０は、実施の形態１の蓄電池２０７、太陽光発電パネル２０５または燃料電池２０９である。電力供給装置５２０は、実施の形態１の太陽光発電パワーコンディショナー２０６、蓄電池パワーコンディショナー２０８、または、実施の形態２のパワーコンディショナー４０１を含んでもよい。また、電力供給装置５２０は、これらの組み合わせでもよい。
【０１８０】
負荷５４０は、建物に設けられる電気機器であり、例えば、実施の形態１の自立機器３２１〜３２３に対応する。
【０１８１】
分電盤５００は、負荷５４０に電力を供給する。そして、分電盤５００は、電力線５１０、スイッチ５１１、検知部５０１、蓄電部５０３および制御部５０２を備える。
【０１８２】
電力線５１０は、電力系統２０４から供給される電力、或いは、電力供給装置５２０から供給される電力を負荷５４０に供給するための電力線である。電力線５１０は、実施の形態１の電力線２４０に対応する。電力線５１０には、電力系統２０４および負荷５４０の間における電力供給点が設けられる。電力供給点は、電力供給装置５２０から供給される電力の供給点である。
【０１８３】
スイッチ５１１は、オンにされた場合に、電力系統２０４と電力供給点との間の接続状態を導通に切り替え、オフにされた場合に、電力系統２０４と電力供給点との間の接続状態を非導通に切り替える。スイッチ５１１は、実施の形態１の系統リレー２４７に対応する。
【０１８４】
検知部５０１は、電力系統２０４から電力線５１０に電力が供給されない状態である停電を検知する。検知部５０１は、実施の形態１の検知部２２１に対応する。
【０１８５】
蓄電部５０３は、停電時に分電盤５００の動作に用いられる電力を供給する。つまり、蓄電部５０３は、停電時に分電盤５００が動作するための電力供給源として機能する。蓄電部５０３は、実施の形態１の蓄電部２２３に対応する。
【０１８６】
制御部５０２は、検知部５０１が停電を検知した場合、蓄電部５０３から供給される電力を用いてスイッチ５１１をオフにすることにより、停電時に自立運転するための回路を分電盤５００内に形成する。つまり、制御部５０２は、スイッチ５１１をオフにして接続状態を非導通にすることにより、電力供給装置５２０から負荷５４０に電力を供給するための回路を分電盤５００内に形成する。制御部５０２は、実施の形態１の制御部２２２に対応する。
【０１８７】
図１０は、図９に示された分電盤５００の動作を示すフローチャートである。まず、検知部５０１は、電力系統２０４から電力線５１０に電力が供給されない状態である停電を検知する（Ｓ５０１）。蓄電部５０３は、停電時に、分電盤５００の動作に用いられる電力を供給する（Ｓ５０２）。
【０１８８】
そして、制御部５０２は、スイッチ５１１を制御する。具体的には、制御部５０２は、停電が検知された場合、蓄電部５０３から供給される電力を用いてスイッチ５１１をオフにすることにより、停電時に自立運転するための回路を分電盤５００内に形成する（Ｓ５０３）。これにより、電力の利用状態が自立状態へ円滑に切り替えられる。
【０１８９】
なお、検知部５０１は、停電を検知する停電センサから停電を示す情報を取得して、停電を検知してもよい。停電センサは、分電盤５００の外部に設けられるセンサでもよいし、電力供給装置５２０に付随するセンサでもよい。
【０１９０】
また、電力系統２０４から電力が供給される場合、制御部５０２は、電力系統２０４から供給される電力を用いて動作してもよい。
【０１９１】
また、分電盤５００は、さらに、オンにされた場合に、電力供給装置５２０と電力線５１０との間の接続状態を導通に切り替え、オフにされた場合に、電力供給装置５２０と電力線５１０との間の接続状態を非導通に切り替える電力供給スイッチを備えてもよい。そして、制御部５０２は、検知部５０１が停電を検知したときに電力供給スイッチがオフになっている場合、スイッチ５１１をオフにしてから電力供給スイッチをオンにしてもよい。
【０１９２】
また、他の実施の形態に係る構成の一部または処理の一部が、本実施の形態に組み込まれてもよいし、本実施の形態に係る構成の一部または処理の一部が、他の実施の形態に組み込まれてもよい。
【０１９３】
（実施の形態４）
本実施の形態は、実施の形態１および２に含まれる特徴的な構成および特徴的な処理を示す。また、本実施の形態は、実施の形態３に示された構成および処理に、任意に追加可能な構成および処理を示す。
【０１９４】
図１１は、本実施の形態に係る電力供給システムを示す構成図である。図１１に示された電力供給システム６０は、負荷６４１および６４２に電力を供給する。以下に、図１１に示された各構成要素を具体的に説明する。
【０１９５】
電力系統２０４は、電力会社が提供する電力供給システムである。蓄電装置６２１は、蓄電池を備える装置であり、実施の形態１の蓄電池２０７に対応する。太陽光発電装置６２２は、太陽光を利用して発電する装置であり、実施の形態１の太陽光発電パネル２０５に対応する。燃料電池装置６２３は、燃料の化学反応を利用して発電する装置であり、実施の形態１の燃料電池２０９に対応する。
【０１９６】
また、蓄電装置６２１、太陽光発電装置６２２および燃料電池装置６２３は、それぞれ、実施の形態３の電力供給装置５２０に対応する。言い換えると、実施の形態３の電力供給装置５２０に対応する本実施の形態の電力供給装置は、蓄電装置６２１、太陽光発電装置６２２および燃料電池装置６２３を含む。
【０１９７】
負荷６４１および６４２は、建物に設けられる電気機器であり、例えば、実施の形態３の負荷５４０に対応する。言い換えると、実施の形態３の負荷５４０に対応する本実施の形態の負荷は、負荷６４１および６４２を含む。
【０１９８】
分電盤６００は、負荷６４１および６４２に電力を供給する。そして、分電盤６００は、実施の形態３の分電盤５００に含まれる構成要素に対応する構成要素を備える。具体的には、分電盤６００は、電力線６１０、スイッチ６１１、蓄電スイッチ６１２、太陽光発電スイッチ６１３、燃料電池スイッチ６１４、検知部６０１、制御部６０２および蓄電部６０３を備える。
【０１９９】
電力線６１０、スイッチ６１１、検知部６０１、制御部６０２および蓄電部６０３は、それぞれ、実施の形態３の電力線５１０、スイッチ５１１、検知部５０１、制御部５０２および蓄電部５０３に対応する。
【０２００】
本実施の形態の構成要素は、実施の形態３の対応する構成要素と同様の動作をする。これにより、実施の形態３と同様の効果が得られる。
【０２０１】
また、分電盤６００は、さらに、蓄電スイッチ６１２、太陽光発電スイッチ６１３、燃料電池スイッチ６１４を備える。
【０２０２】
蓄電スイッチ６１２は、オンにされた場合に蓄電装置６２１と電力線６１０との間の接続状態を導通に切り替え、オフにされた場合に蓄電装置６２１と電力線６１０との間の接続状態を非導通に切り替える。
【０２０３】
太陽光発電スイッチ６１３は、オンにされた場合に太陽光発電装置６２２と電力線６１０との間の接続状態を導通に切り替え、オフにされた場合に太陽光発電装置６２２と電力線６１０との間の接続状態を非導通に切り替える。
【０２０４】
燃料電池スイッチ６１４は、オンにされた場合に燃料電池装置６２３と電力線６１０との間の接続状態を導通に切り替え、オフにされた場合に燃料電池装置６２３と電力線６１０との間の接続状態を非導通に切り替える。
【０２０５】
制御部６０２は、検知部６０１が停電を検知したときに蓄電スイッチ６１２、太陽光発電スイッチ６１３および燃料電池スイッチ６１４がオフになっている場合、スイッチ６１１をオフにしてから蓄電スイッチ６１２、太陽光発電スイッチ６１３および燃料電池スイッチ６１４をオンにする。
【０２０６】
制御部６０２は、スイッチ６１１がオンにされた場合、電力系統２０４から供給される電力を蓄電部６０３に充電させてもよい。制御部６０２は、スイッチ６１１がオフにされ、蓄電スイッチ６１２、太陽光発電スイッチ６１３または燃料電池スイッチ６１４がオンにされた場合、蓄電装置６２１、太陽光発電装置６２２または燃料電池装置６２３から供給される電力を蓄電部６０３に充電させてもよい。
【０２０７】
また、分電盤６００は、さらに、負荷電力計測部６０４、残存電力量計測部６０５、照明部６０６、通知部６０７、スイッチ６１５、スイッチ６１６およびスイッチ６１７を備える。
【０２０８】
スイッチ６１７は、実施の形態１の自立スイッチ２０２に対応する。具体的には、スイッチ６１７は、ユーザから指示を受付ける。検知部６０１は、スイッチ６１７によって受付けられた指示を検知する。制御部６０２は、検知部６０１が停電を検知した場合、かつ、検知部６０１が指示を検知した場合、蓄電スイッチ６１２、太陽光発電スイッチ６１３および燃料電池スイッチ６１４をオンにすることにより、蓄電装置６２１、太陽光発電装置６２２および燃料電池装置６２３から供給される電力を負荷６４１および６４２に供給する。
【０２０９】
照明部６０６は、実施の形態１の停電灯２０１に対応する。照明部６０６は、停電時に、スイッチ６１７を照らす。
【０２１０】
通知部６０７は、異常を通知する。通知部６０７は、ディスプレイまたはスピーカーでもよい。例えば、検知部６０１は、分電盤６００における異常を検知する。分電盤６００における異常には、蓄電部６０３の容量低下、１以上のスイッチのチャタリング、または、蓄電部６０３の異常発熱などがある。そして、異常が検知された場合、通知部６０７は、検知された異常をユーザに通知する。通知部６０７は、ユーザに音で異常を通知してもよいし、視覚的に異常を通知してもよい。
【０２１１】
また、検知部６０１は、さらに、ガス漏れセンサまたは漏電センサから、ガス漏れまたは漏電を示す情報を取得して、建物の緊急状態を検知してもよい。そして、緊急状態が検知された場合、制御部６０２は、蓄電スイッチ６１２、太陽光発電スイッチ６１３および燃料電池スイッチ６１４をオフにしてもよい。
【０２１２】
スイッチ６１５および６１６は、実施の形態１のコンセントリレー２６１〜２６３に対応する。具体的には、スイッチ６１５は、電力線６１０とコンセント６３１との間に設けられ、オンにされた場合に電力線６１０とコンセント６３１との間の接続状態を導通に切り替え、オフにされた場合に電力線６１０とコンセント６３１との間の接続状態を非導通に切り替える。
【０２１３】
スイッチ６１６は、電力線６１０とコンセント６３２との間に設けられ、オンにされた場合に電力線６１０とコンセント６３２との間の接続状態を導通に切り替え、オフにされた場合に電力線６１０とコンセント６３２との間の接続状態を非導通に切り替える。
【０２１４】
負荷電力計測部６０４は、負荷６４１および６４２へ供給される電力を計測する。残存電力量計測部６０５は、蓄電装置６２１における蓄電池の残存電力量を計測する。コンセント６３１および６３２は、使用電力または残存電力量を表示する表示部を備えてもよい。
【０２１５】
制御部６０２は、負荷電力計測部６０４で計測された電力が蓄電装置６２１、太陽光発電装置６２２または燃料電池装置６２３の出力可能な電力として予め定められた電力を超える場合、スイッチ６１５または６１６をオフにしてもよい。制御部６０２は、負荷６４１および６４２へ供給される電力量が、蓄電装置６２１の蓄電池の残存電力量を一定期間内に超える場合、スイッチ６１５または６１６をオフにしてもよい。制御部６０２は、使用電力が閾値よりも高いコンセントに対応するスイッチをオフにしてもよい。
【０２１６】
制御部６０２は、コンセント６３１および６３２に対して優先順位を設定し、優先順位の低い順に、コンセント６３１および６３２から対象コンセントを決定し、決定された対象コンセントに対応するスイッチをオフにしてもよい。制御部６０２は、所定の期間ごとに、コンセント６３１および６３２の優先順位を変更してもよい。例えば、所定の期間は、季節または時間に対応する。
【０２１７】
制御部６０２は、検知部６０１が停電を検知した場合、蓄電スイッチ６１２をオンにしてから、太陽光発電スイッチ６１３或いは燃料電池スイッチ６１４をオンにする。
【０２１８】
太陽光発電装置６２２および燃料電池装置６２３が電力線に電力を供給するためには、電圧源が必要となる。もし、蓄電スイッチ６１２をオンにする前、即ち、蓄電装置６２１を電力線と接続する前に太陽光発電システムおよび燃料電池システムを電力線に接続すると、電圧源が存在しないため太陽光発電システムおよび燃料電池システムが起動できない。
【０２１９】
従って、検知部６０１が停電を検知した場合、制御部６０２は、必ず蓄電装置６２１を電力線に接続してから、太陽光発電装置６２２および燃料電池装置６２３を接続する。これにより、太陽光発電装置６２２および燃料電池装置６２３を起動させることができる。なお、太陽光発電装置６２２および燃料電池装置６２３を接続する順序は特に限定されるものではないが、太陽光発電装置６２２を電力線に接続してから燃料電池装置６２３を電力線に接続してもよい。
【０２２０】
検知部６０１は、停電を検知する停電検知部、異常を検知する異常検知部、緊急状態を検知する緊急状態検知部、および、指示を検知する指示検知部に分けられてもよい。同様に、制御部６０２は、複数の処理に応じて、複数の制御部に分けられてもよい。
【０２２１】
上記の構成の一部または処理の一部が、実施の形態３に示された電力供給システム５０に組み込まれてもよい。例えば、蓄電装置６２１、太陽光発電装置６２２および燃料電池装置６２３のうちのいずれかが、電力供給装置５２０として電力供給システム５０に組み込まれてもよい。そして、蓄電スイッチ６１２、太陽光発電スイッチ６１３および燃料電池スイッチのいずれかが、電力供給システム５０に組み込まれてもよい。
【０２２２】
（実施の形態５）
本実施の形態は、実施の形態１および２に含まれる特徴的な構成および特徴的な処理を示す。また、本実施の形態では、実施の形態４に示された構成および処理の一部が変更されている。
【０２２３】
図１２は、本実施の形態に係る電力供給システムを示す構成図である。図１２に示された電力供給システム７０は、負荷６４１および６４２に電力を供給する。実施の形態４に比べて、本実施の形態の電力供給システム７０には、電力調整装置７０１が追加されている。また、本実施の形態の分電盤７００では、実施の形態４の蓄電スイッチ６１２、太陽光発電スイッチ６１３および燃料電池スイッチ６１４が、スイッチ７１２に置き換えられている。
【０２２４】
電力調整装置７０１は、蓄電装置６２１、太陽光発電装置６２２および燃料電池装置６２３から供給される電力を調整する。電力線６１０には、電力調整装置７０１が、スイッチ７１２を介して接続される。電力調整装置７０１には、蓄電装置６２１、太陽光発電装置６２２および燃料電池装置６２３が、接続される。すなわち、電力線６１０には、蓄電装置６２１、太陽光発電装置６２２および燃料電池装置６２３が、電力調整装置７０１およびスイッチ７１２を介して接続される。
【０２２５】
電力調整装置７０１は、実施の形態２のパワーコンディショナー４０１に対応する。スイッチ７１２は、実施の形態２のパワーコンディショナーリレー４４８に対応する。また、スイッチ７１２は、実施の形態４の蓄電スイッチ６１２、太陽光発電スイッチ６１３および燃料電池スイッチ６１４に対応する。
【０２２６】
電力供給システム７０では、蓄電装置６２１、太陽光発電装置６２２および燃料電池装置６２３から分電盤７００への接続が電力調整装置７０１に集約されている。また、蓄電スイッチ６１２、太陽光発電スイッチ６１３および燃料電池スイッチ６１４がスイッチ７１２に集約される。したがって、配線が簡素化され、安全性および信頼性が向上する。
【０２２７】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の分電盤などを実現するソフトウェアは、次のようなプログラムである。
【０２２８】
すなわち、このプログラムは、コンピュータに、建物に設けられる負荷に電力を供給する分電盤で行われる電力制御方法であって、前記分電盤の外部に設けられる電力供給装置から供給される電力を前記負荷に供給するための電力線であって、前記電力供給装置から供給される電力の供給点である電力供給点が電力系統および前記負荷の間に設けられる電力線に、前記電力系統から電力が供給されない状態である停電を検知する検知ステップと、前記停電時に、前記分電盤に含まれる蓄電部から、前記分電盤の動作に用いられる電力を供給する供給ステップと、前記電力系統と前記電力供給点との間に設けられるスイッチであり、オンにされた場合に、前記電力系統と前記電力供給点との間の接続状態を導通に切り替え、オフにされた場合に、前記接続状態を非導通に切り替えるスイッチである第１のスイッチを制御する制御ステップとを含み、前記制御ステップでは、前記検知ステップで前記停電が検知された場合、前記蓄電部から供給される電力を用いて前記第１のスイッチをオフにして前記接続状態を非導通にすることにより、前記停電時に前記電力供給装置から前記負荷に電力を供給するための回路を前記分電盤内に形成する電力制御方法を実行させる。
【０２２９】
また、このプログラムは、分電盤に含まれるコンピュータに実行されてもよい。また、このプログラムは、分電盤に実行されてもよい。そして、分電盤が、このプログラムを実行できてもよい。
【０２３０】
また、各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。
【０２３１】
以上、一つまたは複数の態様に係る分電盤について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【０２３２】
例えば、上記各実施の形態において、特定の処理部が実行する処理を別の処理部が実行してもよい。また、処理を実行する順番が変更されてもよいし、複数の処理が並行して実行されてもよい。
【産業上の利用可能性】
【０２３３】
本発明は、分電盤、分電盤を含む電力供給システム、および、分電盤を含む住宅設備等に利用可能である。
【符号の説明】
【０２３４】
１０、２０、４０、５０、６０、７０  電力供給システム
１０１  主分電盤
１０２  自立分電盤
１０３  系統／自立切り替え器
１０４、２０４  電力系統
１０５、２０５  太陽光発電パネル（ＰＶパネル）
１０６、２０６  太陽光発電パワーコンディショナー（ＰＶ  ＰＣＳ）
１０７、２０７  蓄電池（ＳＢ）
１０８、２０８  蓄電池パワーコンディショナー（ＳＢ  ＰＣＳ）
１０９、２０９  燃料電池（ＦＣ）
１１１、１１２、１１３、２１０、２１１、２１２、２１３  自立コンセント
１１４、１１５、１１６、２１４、２１５、２１６、６３１、６３２  コンセント
１２１、１２２、１２３、３２１、３２２、３２３  自立機器
１２４、１２５、１２６、３２４、３２５、３２６  機器
１３１、１３２、１３３、１４２、１５１、１５２、１５３、２３１、２３２、２３３、２３４、２３５、２３６、２４２、２５４、２５５、４４２  ブレーカー
１４１、２４１  主幹ブレーカー
１４３、１４４、１４５、２４３、２４４、２４５、４４３  変流器（ＣＴ）
１５４、１５５、１５６、１５７、１６１、１６２、１６３、５１１、６１１、６１５、６１６、６１７、７１２  スイッチ
２００、４００  スマート分電盤
２０１  停電灯
２０２  自立スイッチ
２２１、５０１、６０１  検知部
２２２、４２２、５０２、６０２  制御部
２２３、５０３、６０３  蓄電部
２２４  ガス漏れ検知器
２４０、５１０、６１０  電力線
２４７  系統リレー
２４８  太陽光発電リレー（ＰＶリレー）
２５１  蓄電池リレー（ＳＢリレー）
２５２  燃料電池リレー（ＦＣリレー）
２６１、２６２、２６３、２６４、２６５、２６６  コンセントリレー
２７０、２７１、２７２、２７３  パネル
２８０、２８１、２８２、２８３  ラベル
２９０、２９１、２９２、２９３  警告灯
４０１  パワーコンディショナー（ＰＣＳ）
４４８  パワーコンディショナーリレー（ＰＣＳリレー）
５００、６００、７００  分電盤
５２０  電力供給装置
５４０、６４１、６４２  負荷
６０４  負荷電力計測部
６０５  残存電力量計測部
６０６  照明部
６０７  通知部
６１２  蓄電スイッチ
６１３  太陽光発電スイッチ
６１４  燃料電池スイッチ
６２１  蓄電装置
６２２  太陽光発電装置
６２３  燃料電池装置
７０１  電力調整装置
【図１】
2014073010.tif 000003
【図２】
2014073010.tif 000004
【図３】
2014073010.tif 000005
【図４】
2014073010.tif 000006
【図５Ａ】
2014073010.tif 000007
【図５Ｂ】
2014073010.tif 000008
【図６】
2014073010.tif 000009
【図７】
2014073010.tif 000010
【図８】
2014073010.tif 000011
【図９】
2014073010.tif 000012
【図１０】
2014073010.tif 000013
【図１１】
2014073010.tif 000014
【図１２】
2014073010.tif 000015